(57)【特許請求の範囲】
【請求項１】
前部壁（１２）、後部壁（１３）、両側部壁（１４，１５）、底部壁（１６）および端部壁（１７）を含む折り曲げ可能な包装材料から製造される直方体形状のシガレットパックであって、
端部壁（１７）は、前部壁（１２）、後部壁（１３）および両側部壁（１４，１５）によって区画され、
シガレットパックは、グリップタブ（４２）を備える引き裂き開放用フラップ（４０）を有しており、下記の（a）〜（d）を特徴とするシガレットパック。
（a）Ｚ字状曲折部が、端部壁（１７）に隣接して、前部壁（１２）、後部壁（１３）および両側部壁（１４，１５）を囲む包装材料の複層のストリップから形成される
（b）Ｚ字状曲折部（２９）が、グリップタブ（４２）の区域に、側部壁（１５）、中間折り曲げ脚部（３２）および内側折り曲げ脚部（３１）の区域によって形成される
（c）グリップタブ（４２）は、Ｚ字状曲折部（２９）の露出部分すなわち側部壁（１５）の区域におけるＺ字状曲折部（２９）の一部分である
（d）折り曲げ脚部（３１，３２）の区域において引き裂き開放フラップ（４０）まで延出する側方穿孔部（４９，５０）が、グリップタブ（４２）の延出部においてグリップタブ（４２）に接続されている
【請求項２】
前記パックは、ソフトカートン型パックとして設計されており、その端部壁（１７）は、Ｚ字状曲折部（２９）によって、前部壁（１２）、両側部壁（１４，１５）を含むパックのカートン部に一体に接続されており、
この場合、グリップタブ（４２）は、折り重ねられることによって、端部壁（１７）の面に接し、この部位に固定される点を特徴とする請求項１に記載の直方体形状のシガレットパック。
【請求項３】
端部壁（１７）を形成するための縁部に折り曲げタブ（３６，３７，３８，３９）を備えるブランク、および、前記折り曲げタブに隣接して、Ｚ字状曲折部（２９）を形成するための折り曲げストリップ（３０）を有し、
引き裂き開放フラップ（４０）が、端部壁（１７）の折り曲げタブ（３６，３７）の区域において、および、前記折り曲げタブ（３６，３７）に隣接した側部壁（１５）の区域において穿孔列（４４）によって形成されている点を特徴とする請求項２に記載の直方体形状のシガレットパック。
【請求項４】
グリップタブ（４２）は、折り曲げタブ（３６，３７）の真下において、強固にクランプされることによって端部壁（１７）の面内に固定される点を特徴とする請求項２に記載の直方体形状のシガレットパック。
【請求項５】
穿孔列（４４）は、
いずれの場合も、折り曲げタブ（３６，３７）の区域に各１つの穿孔脚部（４５，４６）を備えて、前記折り曲げタブを横断し、
また、他方において、折り曲げ線（３３）に沿って延出して前記穿孔脚部と接する横断方向穿孔線（４７，４８）を備え、端部壁（１７）を区画し、側部壁（１５）の区域において引き裂き開放フラップ（４０）のトング状部分を区画するためのさらに別の区域を備える点を特徴とする請求項３に記載の直方体形状のシガレットパック。
【請求項６】
グリップタブ（４２）は、側部壁（１５）の区域内で折り曲げ線（３５）まで延出してＺ字状曲折部（２９）の曲折縁部を形成する連続打ち抜き線（５１）によって、引き裂き開放フラップ（４０）の一部として区画される点を特徴とする請求項４に記載の直方体形状のシガレットパック。
【請求項７】
端部壁（１７）を形成するための折り曲げタブ（３６，３７）は、接着によって互いに接続される点を特徴とする請求項３に記載の直方体形状のシガレットパック。
【請求項８】
Ｚ字状曲折部（２９）は、折り曲げ脚部（３１，３２）の接着によって固定される点を特徴とする請求項１に記載の直方体形状のシガレットパック。
【請求項９】
引き裂き開放フラップ（４０）は、たとえ、取り出し開口部（４１）が、端部壁（１７）を横断する穿孔脚部（４５，４６）を持たない穿孔列（４４）によって一旦露出されても、端部壁（１７）に接続される点を特徴とする請求項１に記載の直方体形状のシガレットパック。
【請求項１０】
底部壁（１６）および端部壁（１７）は、長方形の底部タブ（６１，６２）および長方形の端部タブ（６７，６８）の態様で設計され、
これらは、それぞれ、底部壁（１６）と端部壁（１７）の表面区域の全体に亘って延出し、接着によって互いに接続され、
この場合、底部タブ（６１，６２）および端部タブ（６７，６８）は、打ち抜きカット部（６３，６６）によって、関連するコーナータブ（６４，６５）または（６９，７０）から区画される点を特徴とする請求項１に記載の直方体形状のシガレットパック。
【請求項１１】
端部壁（１７）の区域に自由に突出するグリップタブ（４２）は、フィルム等から製造された外側包装材（５７）によって、端部壁（１７）と向き合ってこれに接する状態で固定される点を特徴とする請求項１に記載の直方体形状のシガレットパック。
【請求項１２】
ブランク（１１）の内側に折り曲げられた補強脚部（７１）は、前部壁（１２）、後部壁（１３）、および、両側部壁（１４，１５）の区域において、底部壁（１６）に隣接して配置され、前記補強脚部（７１）は、折り曲げ線（７２）を介して補強ストリップ（２８）に接続されている点を特徴とする請求項１に記載の直方体形状のシガレットパック。
【発明の詳細な説明】
【０００１】
この発明は、曲折可能な包装材料製のパック、特に、前部壁、後部壁、両側部壁、底部壁および端部壁からなり、端部壁が、自由な境界縁部または折り曲げ縁部によって隣接壁から区画される、折り曲げ可能な包装材料、特に、紙、ペーパーボードまたは似たような包装材料から製造される（シガレット）パックに関する。
【０００２】
この発明は、主としてソフトパック型またはソフトカートン型のシガレットパック、特に、ＵＳ特許第４，５０８、２１８号およびＥＰ特許第０，６４９、７９７号のシガレットパックの一層の開発および改良に関する。上記のシガレットパックの特徴は、これらが一続きのブランクからなることである。この場合、一具体例によれば、前部壁、後部壁および両側部壁を備えるパックの一部が、Ｚ字状の折り曲げによって、端部壁から分離される。ソフト（カートン）パックのこのデザインによって、そうでなければ従来の錫箔または紙製の内側包装材を使わずに済ませることが可能になる。
【０００３】
上に述べたデザインのソフトカートン型の（シガレット）パックのみならず、従来型の構造にあっては、最初に使用に供されるときにこれらを開封する問題が存在する。もしもこのパックが、端部壁を横断周回して延出する蓋あるいは収入印紙のストリップを備えるならば、このストリップは、パックを端部壁の区域で開封するための引き裂き補助部材として機能する。しかしながら、もし、税法が収入印紙のストリップを不要として、端部壁の端部タブが互いに接着によって接続されていると、ソフトパックを開くことが困難である。
【０００４】
この発明の目的は、導入部で説明したタイプのパック、特に、シガレット用ソフトカートン型パックを、それが使用に供されたときの構造と容易な取り扱いという観点から改良することである。
【０００５】
この目的を達成するために，この発明のパックは、以下の点に特徴を有する。
（a）Ｚ字状曲折部が、端部壁に隣接して、前部壁、後部壁および両側部壁を囲む包装材料の複層のストリップから形成される。
（b）Ｚ字状曲折部が、グリップタブの区域に、側部壁、中間折り曲げ脚部および内側折り曲げ脚部の区域によって形成される。
（c）グリップタブは、Ｚ字状曲折部の露出部分すなわち側部壁の区域におけるＺ字状曲折部の一部分である。
（d）折り曲げ脚部の区域において引き裂き開放フラップまで延出する側方穿孔部が、グリップタブの延出部においてグリップタブに接続されている。
【０００６】
この発明の態様で設けられた自由に突出するフラップは、手で取り外すことができ、開封用フラップまたはグリップ用タブは、穿孔列またはその他の脆弱化線によって規定される引き裂きフラップの一部である。前記引き裂きフラップは、パックの内容物つまりシガレットのための取り出し開口部を形成するためのグリップタブを援用して取り除かれる。
【０００７】
開封用フラップは、特に、内部において端部壁に隣接してＺ字状の折り曲げ部が形成される(シガレット)パックの場合に使用される。この開封用フラップは、Ｚ字状の折り曲げ部が作り出されるとき、グリップタブが、Ｚ字状の折り曲げ脚部の連続部分として、これに沿って折り曲げられることはなく、したがって、使用に有利な位置に進出するようなブランクの穿孔列によって形成される。
【０００８】
最適設計のシガレットパックは、ＥＰ０，６４９，７９７号によって形成され、
端部壁の区域にこの発明の開封補助手段を備える。この場合、開封用フラップは細長い側部壁の区域に設けられるので、端部壁のサブ区域が引き裂きフラップの援用によって取り除くことができる。
【０００９】
他の特徴は、特に、底部壁と折り曲げタブの構造の補強という観点における、底部壁と端部壁の区域における（シガレット）パックの構造に関連する。
【００１０】
この発明の（シガレット）パックの模範具体例を添付図面を参照しつつ詳細に説明する。
【００１１】
図示の立体パックの好ましい模範具体例は、シガレットパック、正確に言えば、ソフトカートン型のシガレットパックである。このタイプのパックにあっては、パックの内容物、すなわち、シガレット１０のグループが比較的薄い包装材製の紙などの包装材によって囲まれる。このパックの特徴は、これらが、単一の一続きの連続ブランク１１を有する点である。このブランクは、前部壁１２、後部壁１３、直立両側部壁１４、１５および一体に接続された底部壁１６と端部壁１７を備える（シガレット）パックを形成するために設計および／または曲折される。前部壁１２、後部壁１３、両側部壁１４、１５および底部壁１６を備えるパックの部分は、外部からは従来の（ソフト）カートンの印象をあたえるように設計され、配置される。前部壁１２は、曲折によって、それが恰も隣接パック壁から分離されているかのように見える。
【００１２】
図１の包装材のブランク１１は、図８に展開された形態で、折り曲げ用の点線とともに示される。側部壁１４、前部壁１２、側部壁１５、および、後部壁１３部ランク１１内に互いに並んで位置を占める。ブランク１１の幅全体に亘って延出する接続ストリップ１８が、後部壁１３の自由な側に接続される。前記接続ストリップは、側部壁１４の内側と向き合って接しており、接着によって前記側部壁に隣接する。
【００１３】
底部壁１６は、この模範具体例においては、封筒タイプの折り曲げを行うように設計される底部折り曲げタブを有する。この折り曲げタイプは、台形の底部長手方向タブ１９、２０を作りだし、これらは部分的に重なり、重なり区域において接着によって互いに接続される。これらの底部長手方向タブ１９、２０は、一方において前部壁１２に、他方において後部壁１３に接続される。側部壁１４、１５は、同様に、台形の折り曲げタブすなわち底部コーナータブ２１、２２によって接合される。これらは、内側に、すなわち、これらが底部長手方向タブ１９、２０によって部分的に外側において重ねられたとき内側になるように配置される。
【００１４】
１つの特徴は、パックが、底部壁１６の区域において、少なくとも底部折り曲げタブ１９、２０、２１、２２の複層設計によって補強される点である。現行の模範具体例において、底部長手方向タブ１９、２０と底部コーナータブ２１、２２は、ブランク１１の２つの層を有する。これらは、ブランク１１の対応するくいきが折り重ねられることによって形成される。この目的のために、ブランク１１は、連続する境界ストリップ２３が底部壁１６の区域に形成されるように、その大きさがきめられる。この境界ストリップは、連続した折り曲げ線２６によって互いに切り離される２つの隣り合う材料ストリップ２４、２５を備える。この材料ストリップ２５は、補強ストリップ２８によって、別の折り曲げ線２７を介して自由な境目に隣接される。底部壁１６が所定通りに折り曲げられたとき、前記補強ストリップは、前部壁１２、後部壁１３、および、両側部壁１４，１５の内側を周回して直立面内に延出する。
【００１５】
別の特徴は、端部壁１７へと移り変わる前部壁１２、後部壁１３、および、両側部壁１４、１５を備えるカートン状パック部の遷移区域に備えられる。この場合、包囲部分であるブランク１１の複層折り曲げ部、すなわち、Ｚ字状曲折部２９が形成される。この曲折部は、折り曲げストリップ３０としてブランク１１の内部に規定される。２つの脚部３１、３２は、折り曲げ線３３、３４、３５によって切り離される。パックが完成状態にある場合は、折り曲げ線３５がカートン部の上部境界を形成する。折り曲げ脚部３２は、前部壁１２、後部壁１３、および、両側部壁１４、１５の内側と向き合って折り曲げられる。折り曲げ脚部３１は、折り曲げ脚部３２よりも幅が広く設計されるので、折り曲げ線３５とカートン部の上部境界を越えて突出する。この折り曲げ脚部３１は、端部壁１７の折り曲げタブすなわち台形の端部長手方向タブ３６、３７およびこれらと同様な台形の端部コーナータブ３８、３９と接する。
【００１６】
端部壁１７と隣り合う区域すなわちＺ字状折り曲げ部２９におけるブランク１１の複層曲折部は、パックのための特別な開口補助部を提供することを可能にする。この開口補助部は、脆弱線すなわち穿孔列によって区画される引き裂き用フラップ４０を備える。この引き裂き用フラップ４０は、少なくとも、端部壁の区域と隣接パック壁の上部区域に部分的に延出する。今の場合は、この引き裂き用フラップ４０は、側部壁１５に向かう端部壁１７の区域と、前記側部壁１５自身の区域に亘って設けられる。引き裂き用フラップ４０を取り除くと、シガレット１０のための取り出し開口部４１が端部壁１７中に露出する。
【００１７】
引き裂き用フラップ４０は、グリップタブ４２を備える。このグリップタブ４２は、引き裂き用フラップ４０の連続部または露出部として設計される。パックが所定通りに折り曲げられると（例えば図１）、このグリップタブ４２は、側部壁１５の上部区域から、折り曲げ線３５を越えて延出する。グリップタブ４２は、折り重ねられることによって、パックの外側に配置され個々に取り外し可能に固定される。図１の例においては、グリップタブ４２の境界すなわちコーナー区域が、端部壁１７の折り曲げタブつまり端部長手方向タブ３６、３７の直ぐ下に押し込まれる。パックを開くためには、グリップタブ４２が、この固定部から引っ張り出されて引き裂き用フラップ４０を取り除くために操作される。これによって、今の場合、端部壁１７の幅全体に亘って延出し、側部壁１５の区域において、僅かながら幅の狭い切り欠き部４３に続く取り出し開口部４１が露出する。
【００１８】
引き裂き用フラップ４０は、ブランク１１の脆弱線つまり穿孔列４４によって規定される。これは、ブランクの自由な境目から出発して、自由な境目に終わり、ブランク１１のＴ字状の区域を区画するために、連続する線として設計される。図１の引き裂き用フラップ４０を形成するために、穿孔列４４は、２つの穿孔脚部４５、４６を備える。これらは、端部長手方向タブ３６、３７の区域に、これらのタブを横断して延出する。前記端部長手方向タブは、それぞれ、横断方向の穿孔部４７、４８と隣り合う。この横断方向穿孔部は、折り曲げ線３３に沿って延出する。側部壁１５の区域においては、引き裂きフラップ４０のトング状部が、２つの側方穿孔部４９、５０によって区画される。これらは、側部壁１５の区域において、グリップタブ４２を区画するための連続するＵ字状の打ち抜き線５１へと遷移する。この打ち抜き線５１は、折り曲げ線３５まで延出しており、同時に、カートン部の上部の境界とＺ字状曲折部の上部境界を形成する。折り曲げ線３５は、グリップタブ４２の部位または打ち抜き線５１の部位に終わり、折り曲げ線３３、３４は、引き裂き用フラップ４０を通過して延出する。
【００１９】
ブランク１１が所定にしたがって折り曲げられると、穿孔脚部４５、４６は上下に重なって、正確に言えば、端部長手方向タブ３６、３７の対応する重なり部によって重なって配置される。これらの穿孔脚部４５、４６は、端部壁１７を横断して延出する。横断方向穿孔部４７、４８は、端部壁１７の対向する両側、すなわち、その境目に延出するので、取り出し開口部４１は、端部壁１７の幅全体を占有することができる。
【００２０】
今の場合は、引き裂き用フラップ４０が、側部壁１５の上部区域を有しており、前記の区域は、端部壁１７に向けられ、端部壁１７の区域と端部長手方向タブ３６、３７および端部コーナータブ３８のサブ区域に存在する。前記上部区域は引き裂き用フラップ４０の一部として、完全に取り除かれる。端部長手方向タブ３６、３７の区域においては、引き裂き用フラップ４０が、中央面から或る距離離れた区域まで、すなわち、このタイプのパックにおいて従来通りである横断方向に向けられた収入印紙ストリップの区域まで大体延出する（図５参照）。
【００２１】
図１のパックの製造においては、ブランク１１が連続材料ウエブから製造され、この場合、ブランクは、左右に並んだ列として配列される。境界ストリップ２３と折り曲げストリップ３０は横断方向に走行する。第１ステップとして、引き裂き用フラップ４０とグリップタブ４２を区画するための上記の打ち抜き線が正確な位置に設けられる。その後で、移送が継続する間に、材料ウエブが境界ストリップ２３の区域において折り重ねられるので、材料ストリップ２４、２５が互いに向き合って隣り合う（図９、図１０参照）。これと同時に、Ｚ字状曲折部２９が折り曲げストリップ３０の区域に作り出される。この曲折過程において、打ち抜き線５１によって区画される引き裂き用フラップ４０の当該部分、つまり、グリップタブ４２は、まだ折り曲げられないばかりでなく、原位置に、すなわち、側部壁１５の延出部分すなわち連続部分としてとどまる。したがって、グリップタブ４２は、Ｚ状曲折部２９と折り曲げ線３５を越えて突出する（図１０参照）。この後で、図９、図１０のように折り曲げられたブランク１１が材料ウエブから切り離される。
【００２２】
図９、１０の態様で一部が折り曲げられることによって調製されるブランク１１は、従来のソフトカートンパックを製造する場合と同じように処理される。製造方法と製造装置の一例は、ＤＥ１９６４１１５１．３から収集することができる。いずれにせよ、ブランク１１は、曲折タレットの曲折マンドレル面において処理される。底部壁１６もまた、前記のマンドレルの区域において折り曲げられる。
【００２３】
パックを最適の構造とするために、諸区域および／または折り曲げタブは、接着によって互いに接続される。図８は、接着剤をブランク１１の面に付与するための有利な配置を示す。これらの接着剤の付与物は、正確に言えば、多数のブランク１１つまり材料ウエブが、そのようなブランクを製造するために移送される間に、接着剤のズルによって付与されることが好ましい接着剤のスポットである。
【００２４】
図８が示すように、Ｚ字状曲折部２９は、接着剤すなわち接着剤５２の多数のスポットによって固定される。接着剤５２のこれらのスポットは、折り曲げ脚部３２の区域において互いに離間して配列される。前記脚部は、カートン部の内側と向き合って接する。いずれにもせよ、接着剤５２の２つのスポットが前部壁１２と後部壁１３の区域に配置される。接着剤５２のスポットは、（プリントを施した）ブランク１１の外側に付与され、ブランク１０は製造中に上に向けられる。
【００２５】
横断方向に並ぶ接着剤のこれらのスポット５３は、接続ストリップ１８の区域に配置される。これらのスポット５３は、接続ストリップ１８を側部壁１４の内側に接続する機能を備える。
【００２６】
接着剤のスポット５４の別の列は、境界ストリップの区域に配列される。これらの接着剤のスポット５４もまた、（プリントを施した）ブランク１１の外側に付与される。これらは材料ストリップ２４の区域に、正確には、適当な折り曲げによって製造される重なったとき外側になる底部長手方向タブ１９の内側に配列される。前記の底部長手方向タブ１９は、接着剤スポット５４を介して重なったとき内側になる底部長手方向タブ２０の外側に接続される。
【００２７】
端部壁１７の折り曲げタブすなわち特に、端部長手方向タブ３６、３７の場合も同様であって、これらは、接着によって互いに接続される。接着剤のスポット５５の列は端部長手方向タブ３７の区域に配列される。これは、内側に接着剤のスポット５５が付与される外側の端部長手方向タブ３７であることが好ましい。
【００２８】
接着剤のスポット５２、５３、５４のスポットは、曲折マンドレル面においてブランク１１を折り曲げる間に、すなわちＤＥ１９６４１１５１．３によって有利に付与される。
【００２９】
この態様で設計されたパックは、端部壁１７の区域に収入印紙や閉鎖ストリップを設けることなく設計することができる。このことは特に、端部壁１７の折り曲げタブが接着によって互いに接続される場合に当て嵌まる。
【００３０】
しかしながら、収入印紙５６を従来の態様で設けることも可能である。この場合は、横断方向の境界すなわち穿孔脚部４５、４６が収入印紙ストリップ５６の直ぐ下に位置するように、つまり、収入印紙ストリップが隠れるように、引き裂き用フラップ４０が設けられる（図５参照）。
【００３１】
しかしながら、別の代替例、すなわち、一旦取り出し開口部４１が露出されると引き裂き用フラップ４０が端部壁１７に接続された状態で残るように、前記フラップが設計される代替例もあり得る。この可能性が、図６、図７に示される。この場合は、穿孔列４４が、端部面を横断する方向の穿孔脚部４５、４６を持たない。
【００３２】
もしも、グリップタブ４２が端部壁１７の折り曲げタブによって固定されることが不可能であるか、固定することを意図しない場合には、突出するグリップタブ４２を透明なフィルムから製造される外側包装材５７によって固定することも可能である（図１２参照）。この外側包装材５７は、通常はパックの四方を囲む。図１２は、外側包装材５７が取り付けられた一局面を示す。外側包装材５７は、端部壁１７と向き合って端部壁１７の区域において折り曲げられる。この場合、グリップタブ４２は、端部壁１７と向き合って折り重ねられ、外側包装材５７によってこの位置に保持される（図１１参照）。外側包装材５７が引き裂き用ストリップ５８の援用によって開かれるとき、端部壁１７が露出され、グリップタブ４２はそれがグリップされることが可能な位置に進むことができる。
【００３３】
説明したパックの構造、特に、説明した開口補助手段は、このタイプの（シガレット）パックの新規な設計、すなわち、ラベル曲折原理による底部壁１６および／または端部壁１７の構造を可能とする。このタイプのパックの構造が図１１〜図１４に示される。
【００３４】
このブランク１１は、図８と同様に、すなわち、二層をなす底部壁１６を形成するための境界ストリップ２３を備えるように設計される。この境界ストリップ２３は、それぞれが図８の模範具体例よりも決して広くはない二つの材料２４、２５を備える。
【００３５】
Ｚ字状曲折部２９を製造するための折り曲げ脚部３１、３２を備える折り曲げストリップ３０がブランク１１の反対側に形成される。境界側のブランクのストリップ６０は、端部壁１７の折り曲げタブを形成するように機能する。
【００３６】
底部壁１６と端部壁１７の折り曲げタブは、特殊な長方形のデザインをなし、底部壁１６と端部壁１７の表面積の（ほぼ）全体に亘って延出する。この目的で、二層の底部タブ６１、６２の層は、打ち抜きカット部６３によって、隣接コーナータブ６４、６５からそれぞれ分離される。この打ち抜きカット部６３は、連続する補強ストリップ２８を例外として、境界ストリップ２３の幅全体に亘って延出する。
【００３７】
一旦、境界ストリップ２３が折り曲げ線２６に沿って折り曲げられると、これが結果的に二層の底部タブ６１、６２となり、これらは、適切な折り曲げ（図１４）で表面積の全体に亘って互いに重なり、接着によって互いに接続される。底部タブ６１、６２から分離されるコーナータブ６４、６５は、同様に長方形のデザインをなし、先ず最初に底部壁１６の面に折り曲げられる。補強ストリップ２８は、直立パック壁の区域において中断されることなく全域に亘り延出する。
【００３８】
横断方向を向く打ち抜きカット部６６もまた、端部壁つまりブランクのストリップ６０の区域に設けられる。これらの打ち抜きカット部６６は、ブランクのストリップ６０の幅全体に亘って延出し、同様に、底部壁１６の外輪郭まで延出して端部タブ６７、６８とコーナータブ６９、７０を区画する。上記の折り曲げタブ６７…７０は、長方形のデザインであり、互いから分離される。端部タブ６７、６８は、端部壁１７の表面積全体に亘って延出する。
【００３９】
開口補助部材すなわち引き裂き用フラップ４０は、図８の模範具体例において説明したものと同じ態様で設計される。
【００４０】
収入印紙ストリップをこのパックのデザインに設けることは可能であるが、これを省略することが好ましい。
【００４１】
一続きのブランク１１を有するソフトカートンパックの別の特徴は、図２に示される。別の材料補強部材が底部壁１６の区域に設けられる。直立壁（前部壁１２、後部壁１３、側部壁１４、１５）の周囲に延出する補強ストリップ２８は、更なる補強部材、正確には、折り重ねられた自由な境界区域を介して内側補強脚部７１を形成する補強部材を備える。この補強脚部は、ブランク１１の一部であり、ブランク１１または折り曲げ線７２を介して補強ストリップ２８に接続される。図８、９のブランクは、対応して広く、折り曲げ線２７に平行に別の折り曲げ線７２を備える。補強脚部７１は、底部壁１６の区域に、３層のＺ字状曲折部と似たパックの３層構造体を形成する。
【図面の簡単な説明】
【図１】  ソフトカートン型シガレットパックの斜視図。
【図２】  図１のシガレットパックの概略的垂直方向断面図。
【図３】  図１のシガレットパックの端部壁平面の拡大図。
【図４】  図３のIV‐IV線に沿って切断したパックの上部コーナー区域の垂直方向断面図。
【図５】  （収入印紙）ストリップを備える図１と同様なシガレットパックの上部コーナー区域を示す。
【図６】  開いた位置にある（ストリップを備える）図５のシガレットパック。
【図７】  図６のパックの上部コーナーの拡大図。
【図８】  図１のシガレットパックの展開ブランク。
【図９】  中間折り曲げ位置にある図８のブランク。
【図１０】  引き裂きフラップの区域における図９のブランクの断面図。
【図１１】  フィルム製の外側包装材を備えるシガレットパックの斜視図。
【図１２】  図１１のパックの製造過程における一時点における一場面を描写した図。
【図１３】  図１１、図１２のパックのための展開ブランク。
【図１４】  完成前の図１１、図１２のパックの垂直断面の斜視図。
【図１】
0004191381.tif 000002
【図２】
0004191381.tif 000003
【図３】
0004191381.tif 000004
【図４】
0004191381.tif 000005
【図５】
0004191381.tif 000006
【図６】
0004191381.tif 000007
【図７】
0004191381.tif 000008
【図８】
0004191381.tif 000009
【図９】
0004191381.tif 000010
【図１０】
0004191381.tif 000011
【図１１】
0004191381.tif 000012
【図１２】
0004191381.tif 000013
【図１３】
0004191381.tif 000014
【図１４】
0004191381.tif 000015